(57)【要約】【課題】左右の刃を間隔調整自在に連結する調整穴を有するプレートは足掛けともなり、左右両刃の間隔を雑草木の根の大きさに合わせて調整し、刃を雑草木が生えている土中に挿し込み、てこの原理で土を起こして雑草木を根こそぎ除去して労力を軽減可能とする。【解決手段】左右の刃１を間隔調整自在な調整穴を有するプレート２で連結し、左右両刃の間隔を調整し、刃１を雑草木が生えている土中に挿し込み雑草木を根こそぎ除去する雑草木除去手段において、該刃１の根元部にボルト穴を備え、刃のボルト穴の上部に装着され、その左右両刃が間隔を有するように設定された調整穴３a，３b，３cを備えるプレート２と、刃１とプレート２を押圧する締結ボルトと蝶ねじを備え、かつ両刃の根元部に取って取り付け部を設け、これに接続して左右の取っ手７を備え、該取っ手先端部の両刃１で雑草木を除去することを特徴とする雑草木除去具。【選択図】図１
0003119392.tif 000002
【実用新案登録請求の範囲】
【請求項１】
左右の刃を間隔調整自在な調整穴を有するプレートで連結する左右両刃の間隔を調整し、刃を雑草木が生えている土中に挿し込み雑草木を根こそぎ除去する雑草木除去手段において、該刃の根元部にボルト穴を備え、刃のボルト穴の上部に装着され、その左右両刃が段階的に間隔を有するように設定された調整穴を備えるプレートと、刃とプレートを締結する締結ボルトとこのボルトにねじ込んで両者を押圧する蝶ねじを備え、かつ両刃の根元部に接続して左右の取っ手を備え、該取っ手先端部の両刃を地中に挿し込んで雑草木を除去することを特徴とする雑草木除去具。
【請求項２】
左右一方の刃にはプレートの端部を固定してもう一方の刃を間隔調整自在に連結して、間隔を調整するための調整穴を３段階に有するプレートを備え、刃とプレートを押圧する締結ボルトをプレートの他の調整穴に差換えて蝶ねじを締め、左右両刃の間隔を変更可能にしたことを特徴とする請求項１に記載の雑草木除去具。
【請求項３】
取っ手は、間隔調整自在な調整穴を有する調整プレートで連結した両刃の根元部に両刃の水平線に対して仰角の角度を有するように設けた取っ手取付け部に左右の取っ手を取付けてあることを特徴とする請求項１に記載の雑草木除去具。
【請求項４】
左右一方の刃にはプレートの端部を溶接固定してあることを特徴とする請求項２に記載の雑草木除去具。
【請求項５】
左右一方の刃にはプレートの端部を刃に開けたボルト穴とプレートに開けたボルト穴に締結ボルトで締結してあることを特徴とする請求項２に記載の雑草木除去具。
【考案の詳細な説明】
【技術分野】
【０００１】
本考案は、左右刃の間隔の調整により、庭や畑の雑草に限らず、小木の根などを根こそぎ除去することが容易な雑草木除去具に関するものである。
【背景技術】
【０００２】
特許文献１〜７の公報に示された除草具は、いずれも使用目的が庭先のガーデンに生えている小さな雑草の除去のために限られるものであったので、根の深い雑草や小木の除去のためには、小さなガーデンの雑草を除去することを目的とする程度のものでは実用上十分なものではない。
【０００３】
しかし、少し広い畑や塀で囲われていない農作業用の広い農家の庭などで除草をするときには、雑草木は比較的深い根があり、除草具も少々の体重を掛けても丈夫で且つ比較的深い根元にも刃先が入って除去作業をしやすいものが体力の消耗を抑えて作業効率が良いものが望まれている。このような目的のためには、従来の除草具は大小の雑草木の根の下に刃先が入って根こそぎ除去できないという欠点があった。
【０００４】
一般に広い畑や塀で囲われていない農作業用の広い農家の庭などで除草する用途において、この欠点は雑草木の除去に関して大きな障害である。具体的には、深い根の雑草木の除去の作業で体力を消耗し、硬い土に深く入った根に対して除草具の金具が曲がったり、あるいは、大きな雑草の根に対して手先だけで非効率的な多くの時間を要する作業になるなどの問題があった。
【０００５】
この改善策として、特許文献８に示されたように高電圧をかけて雑草を除去し併せて周囲の土壌を消毒する方法がある。特許文献８に示されたようなものは、装置がさらに大きくなりその操作も煩雑になるので、前項に記載のような一般的な場所での作業には実用的ではない。
【特許文献１】特開２００２−３６９６０１号公報
【特許文献２】特開２００２−２３３２０２号公報
【特許文献３】特開２００２−０８４８０１号公報
【特許文献４】特開２００１−３４６４０１号公報
【特許文献５】特許第３５０５２７１号（特開平０８−３３１９０１号公報）
【特許文献６】特開平０８−２７５６８０号公報
【特許文献７】実用新案登録第２５３９５６２号公報
【特許文献８】特許第２６３３７５１号（特開平０５−０５６７４１号公報）
【考案の開示】
【考案が解決しようとする課題】
【０００６】
解決しようとする問題点は、土に深く根が入った雑草木を手作業で根こそぎ除去する操作において障害となる雑草木の根に除去具を挿し込みできないため、作業効率が悪く疲労する点である。左右の刃を間隔調整自在に連結するボルト穴を有するプレートで左右両刃の間隔を調整し、刃を雑草木が生えている土中に差込み雑草木を根こそぎ除去することを可能とする。
【課題を解決するための手段】
【０００７】
本考案は、雑草木の根を除去可能とするため、根の大きさにあった間隔の調整を可能にした２本の刃先を土中に差込みてこで起こすことで体力の消耗を抑制しながら根こそぎ除去することを最も主要な特徴とする。
【考案の効果】
【０００８】
本考案の雑草木除去具は、土の中に挿し込む左右の刃の間隔を雑草木の根にあわせて調整するため、土中に挿し込む左右の刃を調整穴のあるプレートで連結し、雑草木の根の深さ、大きさにあわせて両刃の間隔を調整できるので、大小の雑草木の根を根こそぎ除去する利点がある。
【考案を実施するための最良の形態】
【０００９】
左右の刃を間隔調整自在な調整穴を有するプレートで連結し、左右両刃の間隔を調整可能にし、刃を雑草木が生えている土中に差込み雑草木を根こそぎ除去することができるようにした雑草木除去手段において、該刃の根元部にボルト穴を備え、刃のボルト穴の上部に装着され、左右両刃が適宜な間隔を有するように設定された調整穴を開けたプレートと、刃とプレートを押圧する締結ボルトに蝶ねじを備え、かつ両刃の根元部に水平面に対してやや上向きの取っ手取付け部を設け、これに接続して取っ手を備え、該取っ手先端部の刃で雑草木を除去することを特徴とする雑草木除去具を実現した。
【実施例１】
【００１０】
図１〜３は、本考案装置の実施例１の平面図であって、図４はその側面図，図５は実施例２の側面図、図６は実施例３の平面図である。符号  １は    刃、  ２は    左右両刃の連結をするためのプレート、  ２ａは  プレートの端部、  ３ａ，３ｂ，３ｃは    調整穴、  ４は    締結ボルト、  ５は    蝶ねじ、  ６は    ワッシャー、  ７，１１は    取っ手、８は    取っ手取付け部を締めるためのリング、  ９は    刃に取っ手を取付けるために丈夫に厚みを有する根元部、  １０，１３は    、刃の根元部に水平面に対して上向き（仰角）の角度を有するようにした取っ手取付け部、１２は  取っ手に取っ手取り付け部を止めるための釘である。
【００１１】
実施例１は、図１〜３の平面図に示したように地中に挿し込まれる左右の刃１を間隔調整自在に連結する調整穴を有するプレート２で左右両刃の間隔を調整し、両刃を雑草木が生えている土中に差込み雑草木を根こそぎ除去することができるようにした。この雑草木除去手段において、該刃１の根元部にボルト穴を備え、刃のボルト穴の上部に装着され、左右の両刃１が間隔を有するように設定された調整穴３ａ，３ｂ，３ｃを備えるプレートと、刃とプレートを押圧する締結ボルト４と刃にプレート２を上から押圧する蝶ねじ５を備えているから、締結ボルト４をプレートの他の調整穴へ入れ替えて蝶ねじ５を締めることによって、地中根の大きさにより両刃の左右間隔を変更して根の大きさに合わせた使用をすることができる。両刃１は鉄製で焼入れをして丈夫で粘り強く作られ、刃は厚みがあって側面に少し鋭利な傾斜を有するものである。両刃の根元部９には取っ手の取付け部１２を設けてあり、これに左右の取っ手７を接続して該取っ手を有する両刃１で雑草木を除去することを特徴とする。取っ手は、木製、アルミ製のいづれであってもよい。
【００１２】
左右の刃１を間隔調整自在な調整穴を有するプレート２で左右両刃を連結しその間隔を調整できるようにする。平面図（図１〜３）に示したように該プレート２の調整穴３ａ，３ｂ，３ｃをプレート２に３段階に有する。
一方の刃１の上にプレート２を重ねてボルト穴３ｄに締結ボルトを挿し込み、このボルトにワッシャーを入れ、蝶ねじを締めてプレート２の端部を刃１の根元部に押圧して固定する。
もう一方の刃をプレートに固定するために刃とプレートの調整穴３ａ，３ｂ，３ｃに挿し込まれる締結ボルト４をプレートの調整穴のいずれかに挿し込んでワッシャー６を入れて蝶ねじ５を締めて刃をプレート２にて連結する。そして両刃の間隔を変更する場合には、他の三段階に開けた調整穴に締結ボルト４を差換えてワッシャー６を入れ蝶ねじ５を締める。このようにして、両刃の間隔を地中根の大きさに合わせて変更可能にした。
【００１３】
両刃１の根元部９に設けた取っ手取り付け部１２に取っ手７を接続し、止め釘１２で取っ手取り付け部を止めて、リング８を取っ手に嵌めて柄とする。取っ手取り付け部１２は、プレート２で間隔調整自在に連結した両刃１に対して仰角の角度を有して、取っ手を持って体重を掛けると根元部９は支点となっててこの作用で先端部の刃１で土を起こして雑草木の根を除去する。雑草木除去具を実際に庭や菜園などに生えている雑草を除去するために使用する際には、左右の両刃を連結しているプレート２は足掛けともなり、いっそう容易に刃先を土に中に挿し込むことができる。取っ手７を両手で持ちプレートに足をかけ、両刃１を根元の地中に挿し込んで刃で土を起こして雑草木を除去することを特徴とする。
【実施例２】
【００１４】
図５に示す実施例２は、両刃１の根元部９に設けた取っ手取り付け部１０に、取っ手１１を挿し込んで接続した柄となるようにした。すなわち、取っ手取付け部１０に挿し込まれた取っ手１１を備え、止め釘で取っ手取り付け部１０に固定される。両刃１の根元部に設けた取っ手取付け部１０には、取っ手１１を挿し込み、丈夫に取っ手を取付けることができる。取っ手１１を持って、プレート２に足を掛けて体重を掛けるとてこの作用で刃先は地中根の下まで入って、先端部の刃１を起こして雑草木の根を除去する実施例１と同じ作用を奏する特徴がある。
【実施例３】
【００１５】
図６に示すように実施例３は、実施例１の説明に述べているように一方の刃１にプレート２の端部を締結ボルトで締結するのではなく、刃とプレートの端部２ａを溶接して固定した。一方の刃１に溶接したプレート２に三段階に調整穴３ａ，３ｂ，３ｃを開けて、このプレートの適当な穴に締結ボルト４を挿し込みワッシャー６を入れて蝶ねじ５で締結したもう一方の刃をプレートに取付けて雑草木除去具を使用することは実施例１と同じである。
【００１６】
上記の実施例１，２，３において、取っ手取り付け部１２，１０は刃先の水平線に対して仰角に形成されており、これらに取付けてある取っ手７，１１を両手に持って雑草木を除去するときには、地中に挿し込まれた刃の根元部９が支点となって、取っ手は力点となり、刃先が作用点となるてこの作用でらくらくと土起こしの作業をすることができ、雑草木の除去に際して体力の消耗を抑制する効果がある。
更に、本考案の雑草木除去具は、前記のようにプレートが足掛けにもなるものであり、プレートに足をかけて雑草木の生えている地中深くに左右の刃を挿し込む方法を採用したので、挿し込む体力の消耗を軽減し、雑草木の地中根を引き抜くことができる。本考案の効果はこのようになるので刃先を地中の大小の根元に挿し込み、起こし易いので労力を軽減し作業効率を高める。このために、体力が劣る人も本考案の雑草木除去具を使用可能である。
【産業上の利用可能性】
【００１７】
左右の両刃を連結するプレートに開けた間隔調整用の三段階の調整穴に、蝶ねじを用いて締結ボルトを差換えて容易に左右の両刃の間隔の調整ができ、プレートで連結した両刃の間隔を締結ボルトと蝶ねじで変更することによって、間隔を調整された両刃で大小いずれの根も完璧に除去する。庭、菜園、道などの土が固いところに根が深く入り込んでいる雑草木の除草に際して体力の消耗を抑制しながら利用ができる。
【図面の簡単な説明】
【００１８】
【図１】雑草木除去具の第１間隔の実施方法を示した説明図である。（実施例１）
【図２】雑草木除去具の第２間隔の実施方法を示した説明図である。（実施例１）
【図３】雑草木除去具の第３間隔の実施方法を示した説明図である。（実施例１）
【図４】雑草木除去具の側面を示した説明図である。（実施例１）
【図５】雑草木除去具の側面を示した説明図である。（実施例２）
【図６】雑草木除去具の平面を示した説明図である。（実施例３）
【符号の説明】
【００１９】
１    刃
２    プレート
２ａ  刃に溶接されたプレートの溶接部分
３ａ，３ｂ，３ｃ    調整穴
３ｄ    ボルト穴
４    締結ボルト
５    蝶ねじ
６    ワッシャー
７，１１    取っ手
８    リング
９    根元部
１０，１３    取っ手取付け部
１２    止め釘
【図１】
0003119392.tif 000003
【図２】
0003119392.tif 000004
【図３】
0003119392.tif 000005
【図４】
0003119392.tif 000006
【図５】
0003119392.tif 000007
【図６】
0003119392.tif 000008